(57)【特許請求の範囲】
【請求項１】
箱形をなす捕獲器本体１の上部を階段状に形成し、かつ各階段部の各前面に、侵入口８，９を開口すると共に、該捕獲器本体１内に、ネズミ等を粘着する粘着手段を設け、前記各階段部の上面を覆う第一上面板６と第二上面板７の内の第一上面板６を傾斜させると共に、傾斜させた第一上面板６を上下動自在としたことを特徴とするネズミ等の捕獲器。
【請求項２】
傾斜させた前記第一上面板６を傾斜位置に係止する係止手段を設けてなる請求項１記載のネズミ等の捕獲器。
【発明の詳細な説明】
【０００１】
【発明の属する技術分野】
この発明はネズミ等の侵入口を各階段部の各前面に開口したネズミ等の捕獲器に関する。
【０００２】
【従来の技術】
従来この種のネズミ捕獲器としては、例えば実開平５−７０２８０号公報や、特開平８−１１６８５４号公報、特許第２６９４３３８号公報に記載されたものが公知である。
【０００３】
実開平５−７０２８０号公報に記載されたネズミ捕獲器は、角筒状の筒体の両端に、上端側が扉支軸により回動自在に支承された扉が設けられていて、筒体内に設置されたエサに誘引されたネズミが両端部の侵入口より扉を開けて筒体内へ侵入すると、侵入口の扉が閉まって、筒体内よりネズミが出られないようにしたもので、習性の異なるモグラも捕獲できるようにしたものである。
【０００４】
また、特開平８−１１６８５４号公報記載のネズミ捕獲器は、両端が開口したネズミ捕獲器内に粘着紙とエサを置いて、エサに誘引されたネズミがネズミ捕獲器内に侵入すると、ネズミに粘着紙が粘着して、ネズミを捕獲するようにしたものである。
【０００５】
さらに、特許第２６９４３３８号公報記載のネズミ捕獲器は、両端に侵入口を有する捕獲器本体内に、天井の低い通路を設け、この通路の天井に粘着面を設けて、侵入口より侵入したネズミやゴキブリが通路を通過しようとすると、天井の粘着具にネズミやゴキブリの背中が粘着されて、ネズミやゴキブリを捕獲するようにしたものである。
【０００６】
【発明が解決しようとする課題】
しかし、上記何れの公報記載のネズミ捕獲器も、捕獲器本体の両端などにネズミの侵入口を設けた構造のため、捕獲器本体内へネズミが侵入する確率が低く、その結果ネズミの捕獲率も低いなどの不具合がある。
また、特開平８−１１６８５４号公報や、特許第２６９４３３８号公報記載のネズミ捕獲器では、侵入口より捕獲器本体内が見通せるため、警戒心の強いネズミは、侵入口より捕獲器本体内を覗くだけで逃げ出すことが多いことから、ネズミを効率よく捕獲することができないなどの不具合もある。
【０００７】
この発明はかかる従来の不具合を改善するためになされたもので、捕獲器本体の上部を階段状に形成し、かつ各階段部の各前面に侵入口を開口したネズミ等の捕獲器を提供して、ネズミ等の捕獲率向上を図ることを目的とするものである。
【０００８】
【課題を解決するための手段】
上記目的を達成するため請求項１記載の発明は、箱形をなす捕獲器本体の上部を階段状に形成し、かつ各階段部の各前面に、侵入口を開口すると共に、該捕獲器本体内に、ネズミ等を粘着する粘着手段を設け、前記各階段部の上面を覆う第一上面板と第二上面板の内の第一上面板を傾斜させると共に、傾斜させた第一上面板を上下動自在としたものである。
【０００９】
上記構成により、各階段部の各前面に開口された複数の侵入口よりネズミ等が侵入するため、ネズミ等の捕獲率向上が図れると共に、捕獲器本体の上方より捕獲器上に達したネズミ等も、階段部を降りながら侵入口より侵入することができるため、捕獲率はさらに向上する。
【００１０】
また、侵入口より侵入したネズミは、傾斜させた第一上面板の下面に沿って粘着手段側へと強制的に向かわせられるために、ネズミ等を確実に粘着捕獲することができる。
【００１１】
しかも、使用中は第一上面板を傾斜させて、階段部の前面に侵入口が開口するため、侵入口よりネズミ等の侵入が容易となる上、侵入したネズミ等は傾斜させた第一上面板に沿って粘着手段へ進むため、捕獲率も向上する。
【００１２】
また、ネズミ等の捕獲後は、傾斜させた第一上面板を押し下げて侵入口を閉じることにより、捕獲器本体内が見えにくくなるので、使用者に恐怖感や嫌悪感を抱かせることなく廃棄処理できるようになる。
【００１３】
上記目的を達成するため請求項２記載の発明は、傾斜させた第一上面板を傾斜位置に係止する係止手段を設けたものである。
【００１４】
上記構成により、ネズミ等が傾斜させた第一上面板上に乗っても、傾斜させた第一上面板が沈下するのを防止することができる。
【００１５】
【発明の実施の形態】
この発明の実施の形態を図面を参照して詳述する。
図１はネズミ等の捕獲器の使用状態の斜視図、図２は、図１のＡ−Ａ線に沿う断面図、図３は、図１に示された捕獲器の展開図、図４はネズミ等の捕獲器の収納状態の側面図である。
【００１６】
これら図面において１は厚紙などの可燃材料により形成された箱形の捕獲器本体で、上部がほぼ階段状に形成され、これら両側板２の前後辺に連設された前面板３及び後面板４と、両側板２の下辺及び前後面３，４の下辺に連設された底板５と、両側板２の傾斜する上辺及び後面板４の上辺に連設された傾斜する第一上面板６及び両側板２の水平な上辺に連設された水平の第二上面板７とにより構成されており、捕獲器本体１の前面側に、上下２段に亘って横方向に細長い侵入口８，９が開口されている。
【００１７】
上記各侵入口８，９のうち、上段の侵入口８は、傾斜する第一上面板６の前縁と、水平の第二上面板７の後縁との間に形成されており、また、下段の侵入口９は、高さの低い前面板３の上縁と、水平上面板７の前縁との間に形成されていて、これらの侵入口８，９は小さいネズミから大きなネズミまで侵入できるように開口面積が異なるように設定されている。
【００１８】
なお、実施の形態では上段の侵入口８に対して下段の侵入口９の開口面積をやや大きくしているが、逆にしてもまた同じ大きさにしても勿論よい。
【００１９】
一方、上記捕獲器本体１の内底面には、侵入口８，９より侵入したネズミを捕獲する粘着手段１０と、ネズミを効率よく捕獲するため、ネズミを捕獲器本体１内へ誘引するエサ１１が設置されている。
粘着手段１０は底板５より大きさの小さい厚紙などの基板１０ａ上面に粘着面１０ｂを形成したもので、基板１０ａの周囲は図２に示すように山形に形成されており、接着などの手段で底板５の上面に固定されている。
なお、使用前の粘着面１０ｂに剥離紙１０ｃが接着しており、剥離紙１０ｃをはがして使用するようにしても良い。
【００２０】
また、図３は捕獲器本体１を展開した状態の一例を示すもので、これについて説明すると、底板５の一方の側辺に山折り線５ａを介して一方の側板２の下辺が連設されており、一方の側板２の水平な上辺に山折り線２ａを介して水平の第二上面板７の一辺が連設されている。
水平の第二上面板７の他辺には、山折り線２ｂを介して他方の側板２の水平な上辺が連設されており、他方の側板２の下辺には、底板５の他辺に接着するためののり代２ｃが形成されている。
【００２１】
そして、水平の第二上面板７と両側板２の連設部には、水平の第二上面板７の前縁側に切込み７ａが形成されていて、これら切込み７ａに、傾斜する第一上面板６の両辺に山折り線６ａ，６ｂを介して連設された両側板２ｄ，２ｅの前縁側の切込み２ｆが挿入できるようになっている。
傾斜する第一上面板６の後縁は、山折り線６ｃを介して後面板４の上辺に連設されており、後面板４の下辺は山折り線５ｂを介して底板５の一方の端辺に連設されていると共に、底板５の他方の端辺に、山折り線５ｃを介して前面板３の下縁が連設されている。
そして、前後面３，４の両端辺には、両側板２に接着するのり代３ａ，４ａが形成されている。
【００２２】
次に、上記構成されたネズミ捕獲器の作用を説明すると、ネズミ捕獲器を購入した者が組立てる面倒な手間を省くため、捕獲器本体１は予め図１に示す状態に組立てられていて、傾斜する第一上面板６は水平の第二上面板７とほぼ同一平面となるよう図４に示すように収納されている。
そして、この状態で１個ないし複数個をフィルム包装して販売することにより、中箱などが不要となるので、省資源化が図れるようになる。
【００２３】
ネズミ捕獲器を購入した者は、フィルム包装を開封して捕獲器本体１を取り出したら、まず傾斜する第一上面板６を上方へ開放して、次に傾斜する第一上面板６の両辺に連設された両側板２ｄ，２ｅの前辺に形成された切込み２ｆを、後面板４の上部を山折り線４ｂより折り曲げながら、水平の第二上面板７の前辺に形成された切込み７ａに挿入する。
これによって両側板２ｄ，２ｅが水平の第二上面板７に係止されるので、傾斜する第一上面板６にネズミが乗っても傾斜する第一上面板６が沈下することがないと同時に、上段の侵入口８の開口面積が変わることもない。
【００２４】
以上のようにして捕獲器本体１を組立てたら、ネズミの出そうな例えば食器棚や冷蔵庫と壁面や床などの隙間へ捕獲器本体１を設置するが、このとき後面板４を壁面に向けて設置すれば、捕獲されたネズミが壁などかじるのを防止することができる。
【００２５】
また、捕獲器本体１の前面側にのみ侵入口８，９が開口されているので、捕獲器本体１の周辺に達したネズミは、捕獲器本体１の向こう側を見渡すことができないため、ネズミに警戒心を抱かせることが少なく、これによって捕獲率が上がると共に、ネズミは捕獲器本体１内を通過することができないため、捕獲器本体１内に侵入したネズミを粘着手段１０により確実に粘着捕獲することができるようになる。
【００２６】
一方捕獲器本体１の粘着面１０ｂにネズミが粘着されて捕獲されたら、傾斜する第一上面板６を押し込んで、図４に示すように傾斜する第一上面板６が水平の第二上面板７と同一平面となるよう収納し、可燃ゴミとして廃棄処理するが、廃棄処理する際捕獲器本体１内のネズミが外側より見えにくいので、恐怖感や嫌悪感を抱くことなく廃棄処理することができるようになる。
【００２７】
また、図５に示す変形例１のように第二上面板７を傾斜させてもよく、図６に示す変形例２のように前面板３の上辺を内側に傾斜させてもよい。
【００２８】
なお、図７に示すように両側板２などに予めネズミの顔などを印刷しておけば、意匠的外観が向上して、消費者の購買力を向上させることができる上、ネズミが出そうな場所に設置した場合も目障りになることがない。
【００２９】
一方、図８〜図１０は、傾斜する第一上面板６を係止する係止手段の変形例４を示すもので、傾斜する第一上面板６の両辺に連設された両側板２ｄ，２ｅに、図８に示す展開図のように差し込み片２ｇを突設し、これら差し込み片２ｇを両側板２の上辺近傍に形成したスリット２ｈに図９の（イ）に示すように挿入して、傾斜する第一上面板６を傾斜位置である上げた状態で係止してもよく、ネズミを捕獲して捕獲器本体１を廃棄処理する場合は、図９の（ロ）に示すように第一上面板６を押し下げるようにして収納すればよい。このように第一上面板６を上下動自在とする。
【００３０】
また、図１０に示す変形例５の展開図のように、傾斜する第一上面板６を２段に形成して、それぞれの傾斜する第一上面板６の両辺に連設された両側板２ｄ，２ｅに差し込み片２ｇ，２ｉを形成し、これら差し込み片２ｇ，２ｉを両側板２の上辺近傍に形成したスリット２ｈに差し込むようにしてもよい。
【００３１】
図１１〜１４に示す変形例６は、捕獲器本体１と傾斜する上面板体１２との２部材から構成されたネズミ捕獲器の実施の形態である。
図１１は捕獲器本体１と上面板体１２とを組み合わせた状態のネズミ捕獲器の斜視図であり、図１２は図１１に示されたネズミ捕獲器の断面図である。
図１３（イ）は、上面板体１２の展開図であり、傾斜する第一上面板６の両側辺には山折り線６ｄ，６ｅを介して両側板２ｄ，２ｅを連設し、傾斜する第一上面板６の後辺には山折り線４´ｂを介して後面板４´を連設する。さらに、後面板４´の後辺には山折り線４´ｃを介してのり代４´ａを連設する。
【００３２】
山折り線６ｄ，６ｅを折り曲げ、さらに、山折り線４´ｂ，４´ｃを折り曲げて、図１４（イ）に示すように折り曲げる。
【００３３】
図１３（ロ）は、捕獲器本体１の展開図であり、低板５の側辺に谷折り線５ａ´を介して一方の側板２の下辺が連設されており、一方の側板２の水平な上辺に谷折り線５ｂ´を介して水平の第二上面板７の一辺が連設されている。
水平の第二上面板７の他辺には、谷折り線５ｃ´を介して他方の側板２の水平な上辺が連設されており、他方の側板２の下辺には谷折り線５ｄ´を介して、低板５の他辺に接着するためののり代５ｄが形成されている。
そして、低板５と一方の側板２の連設部には切り込み３ｈが形成され、他方の側板２とのり代５ｄとの連設部には切り込み３ｈが形成されている。
【００３４】
低板５の前辺には谷折り線３ｃ´を介して前面板３を連設し、前面板３の前辺には谷折り線３ｂ´を介して前面傾斜板３ｂを連設し、さらに、前面傾斜板３ｂの前辺には谷折り線３ａ´を介してのり代３ａを連設する。のり代３ａの左右には爪３ｄを突設する。
一方の側板２の後辺には谷折り線２ａ´を介してのり代２ａを連設すると共に、その連設部に切り込み２ｈを設ける。
他方の側板２の後辺には谷折り線４ｂ´を介して後面板４連設し、さらに後面板４の後辺に谷折り線４ａ´を介してのり代４ａを連設する。
図１３（ロ）に示された捕獲器本体１の展開図の谷折り線を折り曲げて、図１４（ロ）に示すように折り曲げる。
前面板３の爪３ｄ，３ｄを前記切り込み３ｈ，３ｈにそれぞれ挿入し、後面板４ののり代４ａを一方の側板２の切り込み２ｈに挿入して捕獲器本体１を組み立てる。
【００３５】
捕獲器本体１の後面板４に上面板体１２の後面板４´を重ね合わせ、上面板体１２の傾斜する第一上面板６の両辺に連設した両側板２ｄ，２ｅの切り込み２ｆを、水平の第二上面板７の前縁側に挿入して、捕獲器本体１と上面板体１２とを図１１のように組み立てる。
【００３６】
なお、上記実施の形態では、捕獲器本体１の内底面に、粘着面１０ｂの設けられた基板１０ａを接着などの手段で固定したが、底板５の内底面に直接粘着面１０ｂを形成して粘着手段１０としてもよい。
【００３７】
【発明の効果】
以上詳述したように、箱形をなす捕獲器本体の上部を階段状に形成し、かつ各階段部の各前面に、ネズミ等の侵入口を開口すると共に、上記捕獲器本体内に、ネズミ等を粘着することにより捕獲する粘着手段を設けたことから、各階段部の各前面に開口された複数の侵入口よりネズミ等が侵入するため、ネズミ等の捕獲率向上が図れると共に、捕獲器本体の上方より捕獲器上に達したネズミ等も、階段部を降りながら侵入口より侵入することができるため、捕獲率はさらに向上する。
【００３８】
また、各侵入口開口面積の大きさを変えたことから、小さいネズミは開口面積の小さい侵入口から、そして大きなネズミは開口面積の大きな侵入口より侵入することができるため、小さなネズミから大きなネズミまで捕獲することができると共に、侵入口反対側の面を後面板により閉鎖したことから、侵入口より捕獲器本体の向こう側が見渡せないため、ネズミに警戒心を抱かせることがなく、これによって捕獲率が上がると共に、後面板を壁側にして捕獲器本体を設置することにより、捕獲されたネズミが壁面などをかじるのを未然に防止することができる。
【００３９】
さらに、各階段部の上面を覆う上面板のどちらかを傾斜させたことから、侵入口より侵入したネズミは、傾斜上面板の下面により粘着手段側へと強制的に向かわせられるため、ネズミを確実に粘着捕獲することができると共に、傾斜上面板を上下動自在としたことから、使用中は上面板を傾斜させることにより、階段部の前面に侵入口が開口するため、侵入口よりネズミの侵入が容易となる上、侵入したネズミは傾斜上面板に沿って粘着手段へ進むため、捕獲率も向上する。
【００４０】
また、ネズミ等の捕獲後は、傾斜上面板を押し下げて侵入口を閉じることにより、捕獲器本体内が見えにくくなるので、使用者に恐怖感や嫌悪感を抱かせることなっく廃棄処理できるようになる。
【００４１】
しかも、傾斜上面板を傾斜位置に係止する係止手段を設けたことから、ネズミ等が傾斜上面板上に乗っても、傾斜上面板が沈下するのを防止することができると共に、侵入口の下辺を形成する前面板の上辺を内側に傾斜させたことから、捕獲器本体の周囲を、捕獲されたネズミ等の糞や尿で汚損されるのを防止することができる。
【図面の簡単な説明】
【図１】  この発明の実施の形態になるネズミ捕獲器の斜視図である。
【図２】  図１のＡ−Ａ線に沿う断面図である。
【図３】  この発明の実施の形態になるネズミ捕獲器の展開図である。
【図４】  この発明の実施の形態になるネズミ捕獲器の収納状態の側面図である。
【図５】  この発明の実施の形態になるネズミ捕獲器の変形例１を示す斜視図である。
【図６】  この発明の実施の形態になるネズミ捕獲器の変形例２を示す断面図である。
【図７】  この発明の実施の形態になるネズミ捕獲器の変形例３を示す側面図である。
【図８】  この発明の実施の形態になるネズミ捕獲器の変形例４を示す展開図である。
【図９】  （イ）この発明の実施の形態になるネズミ捕獲器の変形例４を示す側面図である。
（ロ）この発明の実施の形態になるネズミ捕獲器の変形例４を示す収納状態の側面図である。
【図１０】  この発明の実施の形態になるネズミ捕獲器の変形例５を示す展開図である。
【図１１】  この発明の実施の形態になるネズミ捕獲器の変形例６を示す斜視図である。
【図１２】  この発明の実施の形態になるネズミ捕獲器の変形例６を示す断面図である。
【図１３】  （イ）この発明の実施の形態になるネズミ捕獲器変形例６の上面板体の展開図である。
（ロ）この発明の実施の形態になるネズミ捕獲器変形例６の捕獲器本体の展開図である。
【図１４】  （イ）図１３（イ）に示された変形例６の上面板体の説明図である。
（ロ）図１３（ロ）に示された変形例６の捕獲器本体の説明図である。
【符号の説明】
１…捕獲器本体、３…前面板、４…後面板、６…第一上面板、７…第二上面板、８，９…侵入口、１０…粘着手段、１２…上面板体。
【図１】
0004078626.tif 000002
【図２】
0004078626.tif 000003
【図３】
0004078626.tif 000004
【図４】
0004078626.tif 000005
【図５】
0004078626.tif 000006
【図６】
0004078626.tif 000007
【図７】
0004078626.tif 000008
【図８】
0004078626.tif 000009
【図９】
0004078626.tif 000010
【図１０】
0004078626.tif 000011
【図１１】
0004078626.tif 000012
【図１２】
0004078626.tif 000013
【図１３】
0004078626.tif 000014
【図１４】
0004078626.tif 000015